(57)【要約】【課題】従来、求職者に関連のある場所に存在する職場の求人情報を得るために、検索を行わなければならない等、面倒であった。【解決手段】仕事に関して求職者が希望する条件であり、仕事をする場所に関する条件である場所的条件を有する仕事条件を格納し得る仕事条件格納部と、仕事の求人に関する情報である求人情報を受信する求人情報受信部と、求人情報に対応する職場の場所が、場所的条件を満たすか否かの判断である職場場所判断を含む判断であり、求人情報が仕事条件を満たすか否かの判断を行う判断部と、判断部が仕事条件を満たすと判断した求人情報を出力する求人情報出力部とを具備する求人情報出力装置により、求職者に関連のある場所に存在する職場の求人情報を、容易に得ることができる。また、求人する側にとって、職場の近隣が生活圏内や行動範囲内である求職者にアプローチできる。【選択図】図２
2016091444.tif 000002
【特許請求の範囲】
【請求項１】
仕事に関して求職者が希望する条件であり、仕事をする場所に関する条件である場所的条件を有する仕事条件を格納し得る仕事条件格納部と、
仕事の求人に関する情報である求人情報を受信する求人情報受信部と、
前記求人情報に対応する職場の場所が、前記場所的条件を満たすか否かの判断である職場場所判断を含む判断であり、前記求人情報が前記仕事条件を満たすか否かの判断を行う判断部と、
前記判断部が前記仕事条件を満たすと判断した求人情報を出力する求人情報出力部とを具備する求人情報出力装置。
【請求項２】
求職者が存在した２以上の位置情報を格納し得る位置情報格納部と、
２以上の位置情報を取得する位置取得部と、
前記位置取得部が取得した２以上の位置情報を前記位置情報格納部に蓄積する蓄積部と、
前記位置情報格納部に格納されている２以上の位置情報を用いて場所的条件を取得する場所的条件取得部とをさらに具備し、
前記仕事条件格納部に格納されている仕事条件が有する場所的条件は、前記場所的条件取得部が取得した場所的条件であり、
前記判断部は、
前記求人情報に対応する職場の場所が、前記場所的条件取得部が取得した場所的条件を満たすか否かの判断である職場場所判断を含む判断を行う請求項１記載の求人情報出力装置。
【請求項３】
前記場所的条件は、
前記位置取得部が取得した２以上の位置情報を用いて取得された情報であり、過去に通過した経路を示す経路情報を含む条件である請求項２記載の求人情報出力装置。
【請求項４】
前記場所的条件取得部は、
前記位置情報格納部に格納されている２以上の位置情報を用いて、予め決められた条件を満たすほど、良く通過している場所についての条件である場所的条件を取得する請求項３記載の求人情報出力装置。
【請求項５】
位置情報を取得する位置取得部をさらに具備し、
前記仕事条件格納部に格納されている場所的条件は、前記位置取得部が取得した位置情報に関する条件であり、現在、求職者が居る位置に関する条件である請求項１記載の求人情報出力装置。
【請求項６】
前記求人情報受信部は、
近距離無線通信により、求人情報を受信する請求項１から請求項５いずれか一項に記載の求人情報出力装置。
【請求項７】
仕事に関して求職者が希望する条件である仕事条件を格納し得る仕事条件格納部と、
仕事の求人に関する情報である求人情報を近距離無線通信により受信する求人情報受信部と、
前記求人情報が前記仕事条件を満たすか否かの判断を行う判断部と、
前記判断部が前記仕事条件を満たすと判断した求人情報を出力する求人情報出力部とを具備する求人情報出力装置。
【請求項８】
前記仕事条件は、
求職者に関する条件である求職者関連条件と場所的条件とを有する請求項１から請求項７いずれか一項に記載の求人情報出力装置。
【請求項９】
前記求職者関連条件は、
仕事に関する求職者の希望条件である仕事関連条件を含む請求項８記載の求人情報出力装置。
【請求項１０】
前記仕事関連条件は、
求職者が希望する勤務の時間帯に関する勤務時間的条件、または求職者が希望する職種または仕事内容に関する仕事内容条件、または仕事に対する報酬に関する報酬的条件のうちの１以上の条件を含む請求項９記載の求人情報出力装置。
【請求項１１】
記録媒体は、
仕事に関して求職者が希望する条件であり、仕事をする場所に関する条件である場所的条件を有する仕事条件を格納し得る仕事条件格納部を含み、
求人情報受信部、判断部、および求人情報出力部により実現され得る求人情報出力方法であって、
前記求人情報受信部が、仕事の求人に関する情報である求人情報を受信する求人情報受信ステップと、
前記判断部が、前記求人情報に対応する職場の場所が、前記場所的条件を満たすか否かの判断である職場場所判断を含む判断であり、前記求人情報が前記仕事条件を満たすか否かの判断を行う判断ステップと、
前記求人情報出力部が、前記判断ステップにおいて前記仕事条件を満たすと判断した求人情報、または当該求人情報に対応する求人関連情報を出力する求人情報出力ステップとを具備する求人情報出力方法。
【請求項１２】
コンピュータがアクセス可能な記録媒体は、
仕事に関して求職者が希望する条件であり、仕事をする場所に関する条件である場所的条件を有する仕事条件を格納し得る仕事条件格納部を含み、
コンピュータを
仕事の求人に関する情報である求人情報を受信する求人情報受信部と、
前記求人情報に対応する職場の場所が、前記場所的条件を満たすか否かの判断である職場場所判断を含む判断であり、前記求人情報が前記仕事条件を満たすか否かの判断を行う判断部と、
前記判断部が前記仕事条件を満たすと判断した求人情報、または当該求人情報に対応する求人関連情報を出力する求人情報出力部として機能させるためのプログラム。
【発明の詳細な説明】
【技術分野】
【０００１】
本発明は、求人情報を出力する求人情報出力装置等に関するものである。
【背景技術】
【０００２】
従来、求職者は、インターネット上のウェブページを検索することにより、求人情報を得ることができた（非特許文献１参照）。
【０００３】
また、求人する側は、インターネット上のウェブページに求人広告を載せる、または店舗の前に張り紙をする等の求人活動を行っていた。
【０００４】
さらに、従来、個々の携帯端末のマイクがもつ周波数特性の相違を考慮し、雑音や携帯端末の移動によるドップラー効果の影響も無く、簡略構成で優れた通信性能を発揮する超音波通信システムであって、ビーコン、携帯端末を利用する超音波通信システムがあった（特許文献１参照）。
【先行技術文献】
【特許文献】
【０００５】
【特許文献１】特開２０１３−１４１０５４号公報
【非特許文献】
【０００６】
【非特許文献１】"東京のアルバイト"， ［平成２６年７月２２日検索］、インターネット［URL：http://www.froma.com/tokyo/］
【発明の概要】
【発明が解決しようとする課題】
【０００７】
しかしながら、従来技術においては、求職者の生活圏等の求職者に関連のある場所に存在する職場の求人情報を得るために、検索を行わなければならない等、面倒であった。また、求人する側にとって、職場の近隣が生活圏内や行動範囲内である求職者に、容易にアプローチできなかった。
【課題を解決するための手段】
【０００８】
本第一の発明の求人情報出力装置は、仕事に関して求職者が希望する条件であり、仕事をする場所に関する条件である場所的条件を有する仕事条件を格納し得る仕事条件格納部と、仕事の求人に関する情報である求人情報を受信する求人情報受信部と、求人情報に対応する職場の場所が、場所的条件を満たすか否かの判断である職場場所判断を含む判断であり、求人情報が仕事条件を満たすか否かの判断を行う判断部と、判断部が仕事条件を満たすと判断した求人情報を出力する求人情報出力部とを具備する求人情報出力装置である。
【０００９】
かかる構成により、求職者の生活圏等の求職者に関連のある場所に存在する職場の求人情報を、容易に得ることができる。
【００１０】
また、本第二の発明の求人情報出力装置は、第一の発明に対して、求職者が存在した２以上の位置情報を格納し得る位置情報格納部と、２以上の位置情報を取得する位置取得部と、位置取得部が取得した２以上の位置情報を位置情報格納部に蓄積する蓄積部と、位置情報格納部に格納されている２以上の位置情報を用いて場所的条件を取得する場所的条件取得部とをさらに具備し、仕事条件格納部に格納されている仕事条件が有する場所的条件は、場所的条件取得部が取得した場所的条件であり、判断部は、求人情報に対応する職場の場所が、場所的条件取得部が取得した場所的条件を満たすか否かの判断である職場場所判断を含む判断を行う求人情報出力装置である。
【００１１】
かかる構成により、求職者は生活圏内に存在する職場の求人情報を、容易に得ることができる。
【００１２】
また、本第三の発明の求人情報出力装置は、第二の発明に対して、場所的条件は、位置取得部が取得した２以上の位置情報を用いて取得された情報であり、過去に通過した経路を示す経路情報を含む条件である求人情報出力装置である。
【００１３】
かかる構成により、求職者は過去に通過した経路に存在する職場の求人情報を、容易に得ることができる。
【００１４】
また、本第四の発明の求人情報出力装置は、第三の発明に対して、場所的条件取得部は、位置情報格納部に格納されている２以上の位置情報を用いて、予め決められた条件を満たすほど、良く通過している場所についての条件である場所的条件を取得する求人情報出力装置である。
【００１５】
かかる構成により、求職者は生活圏内に存在する職場の求人情報を、容易に得ることができる。
【００１６】
また、本第五の発明の求人情報出力装置は、第一の発明に対して、位置情報を取得する位置取得部をさらに具備し、仕事条件格納部に格納されている場所的条件は、位置取得部が取得した位置情報に関する条件であり、現在、求職者が居る位置に関する条件である求人情報出力装置である。
【００１７】
かかる構成により、求職者が現在居る場所の近隣に存在する職場の求人情報を、容易に得ることができる。そのため、求職者は気に入った職場があれば、すぐに見に行くことができる。
【００１８】
また、本第六の発明の求人情報出力装置は、第一から第五いずれかの発明に対して、求人情報受信部は、近距離無線通信により、求人情報を受信する求人情報出力装置である。
【００１９】
かかる構成により、求職者の生活圏等の求職者に関連のある場所に存在する職場の求人情報を、容易に得ることができる。
【００２０】
また、本第七の発明の求人情報出力装置は、＜従属関係  なし＞の発明に対して、仕事に関して求職者が希望する条件である仕事条件を格納し得る仕事条件格納部と、仕事の求人に関する情報である求人情報を近距離無線通信により受信する求人情報受信部と、求人情報が仕事条件を満たすか否かの判断を行う判断部と、判断部が仕事条件を満たすと判断した求人情報を出力する求人情報出力部とを具備する求人情報出力装置である。
【００２１】
かかる構成により、求職者が現在居る場所の近隣に存在する職場の求人情報を、容易に得ることができる。そのため、求職者は気に入った職場があれば、すぐに見に行くことができる。また、求職者は職場の候補地を歩きながら、求人情報を得ることができる。
【００２２】
また、本第八の発明の求人情報出力装置は、第一から第七いずれかの発明に対して、仕事条件は、求職者に関する条件である求職者関連条件と場所的条件とを有する求人情報出力装置である。
【００２３】
かかる構成により、求職者の生活圏等の求職者に関連のある場所に存在する職場の求人情報であり、求職者に関する条件を満たした求人情報を、容易に得ることができる。
【００２４】
また、本第九の発明の求人情報出力装置は、第八の発明に対して、求職者関連条件は、仕事に関する求職者の希望条件である仕事関連条件を含む求人情報出力装置である。
【００２５】
かかる構成により、求職者に関連のある場所に存在する職場の求人情報であり、仕事に関する求職者の希望条件を満たした求人情報を、容易に得ることができる。
【００２６】
また、本第十の発明の求人情報出力装置は、第九の発明に対して、仕事関連条件は、求職者が希望する勤務の時間帯に関する勤務時間的条件、または求職者が希望する職種または仕事内容に関する仕事内容条件、または仕事に対する報酬に関する報酬的条件のうちの１以上の条件を含む求人情報出力装置である。
【００２７】
かかる構成により、求職者の生活圏等の求職者に関連のある場所に存在する職場の求人情報であり、勤務時間的条件または仕事内容条件または報酬的条件を満たした求人情報を、容易に得ることができる。
【発明の効果】
【００２８】
本発明による求人情報出力装置によれば、求職者の生活圏等の求職者に関連のある場所に存在する職場の求人情報を、容易に得ることができる。また、求人する側にとって、職場の近隣が生活圏内や行動範囲内である求職者にアプローチできる。
【図面の簡単な説明】
【００２９】
【図１】実施の形態１における求人情報処理システム１の概念図
【図２】同求人情報処理システム１のブロック図
【図３】同求人情報出力装置１２の動作について説明するフローチャート
【図４】同場所的条件取得処理について説明するフローチャート
【図５】同判断処理にについて説明するフローチャート
【図６】同求人情報出力装置１２の画面例を示す図
【図７】同仕事条件管理表を示す図
【図８】同送信される求人情報と位置情報とを示す図
【図９】同送信される求人情報と位置情報とを示す図
【図１０】同求人情報の出力例を示す図
【図１１】実施の形態２における求人情報処理システム２のブロック図
【図１２】同求人情報出力装置２２の動作について説明するフローチャート
【図１３】同判断処理について説明するフローチャート
【図１４】上記実施の形態におけるコンピュータシステムの概観図
【図１５】同コンピュータシステムのブロック図
【発明を実施するための形態】
【００３０】
以下、求人情報出力装置等の実施形態について図面を参照して説明する。なお、実施の形態において同じ符号を付した構成要素は同様の動作を行うので、再度の説明を省略する場合がある。
【００３１】
（実施の形態１）
本実施の形態において、仕事をする場所に関する条件である場所的条件を有する仕事条件を格納しており、受信された求人情報が仕事条件を満たす場合、求人がある旨を出力する求人情報処理システム１について説明する。
【００３２】
また、本実施の形態において、場所的条件を自動的に取得する求人情報処理システム１について説明する。なお、場所的条件は、ここでは、例えば、求職者が良く通る道沿いにある職場の求人情報であること、求職者が良く通る地点や地域の近隣にある職場の求人情報であること等である。
【００３３】
さらに、本実施の形態において、近距離無線通信により、求人情報を受信する求人情報処理システム１について説明する。
【００３４】
図１は、本実施の形態における求人情報処理システム１の概念図である。求人情報処理システム１は、１または２以上の求人情報送信装置１１、１または２以上の求人情報出力装置１２を備える。求人情報送信装置１１は、例えば、社員やアルバイト等の求人を行う店舗や企業等に設置された装置である。また、求人情報送信装置１１は、例えば、インターネット上のサーバ装置や、いわゆるクラウド上のサーバ装置等である。求人情報出力装置１２は、通常、求職者が保持している携帯端末である。求人情報出力装置１２は、例えば、いわゆるスマートフォン、携帯電話、タブレット端末、携帯用ＰＣ等の携帯端末であることは好適である。ただし、いわゆるパーソナルコンピュータ等でも良い。なお、求職者は、求人情報を見る人であり、単にユーザと言っても良く、広く解する。
【００３５】
図２は、本実施の形態における求人情報処理システム１のブロック図である。求人情報処理システム１を構成する求人情報送信装置１１は、求人情報格納部１１１、求人情報送信部１１２を備える。
【００３６】
求人情報出力装置１２は、受付部１２０、仕事条件格納部１２１、位置情報格納部１２２、位置取得部１２３、蓄積部１２４、場所的条件取得部１２５、求人情報受信部１２６、判断部１２７、求人情報出力部１２８を備える。
【００３７】
求人情報送信装置１１を構成する求人情報格納部１１１は、求人情報を格納し得る。求人情報は、仕事の求人に関する情報である。求人情報は、例えば、求人広告、アルバイト募集の情報等である。求人情報は、求人がある旨の情報でも良いし、求人の内容を示す情報でも良い。求人の内容を示す情報とは、例えば、時給、勤務時間、職種、仕事内容等の情報である。また、求人情報は、求人対象の年齢、求人対象の性別、求める資格（求人対象のユーザが保有するべき資格）等の情報を含んでも良い。また、求人情報は、求人情報出力装置１２において求人に関する情報が出力されるためのトリガー情報でも良い。ここで、求人情報出力装置１２で出力される求人に関する情報は、例えば、求人がある旨の情報である。また、トリガー情報とは、トリガーとなる情報である。また、求人情報は、求人に関する情報にアクセスするための情報でも良い。アクセスするための情報とは、例えば、ＵＲＬ、ＵＲＩ等である。また、求人情報は、テキスト、画像、映像、音声等であり、そのデータ形式は問わない。
【００３８】
また、求人情報格納部１１１は、求人情報と位置情報とを格納していても良い。位置情報は、求人する職場の位置を示す情報である。位置情報は、例えば、（経度，緯度）等の構造を有する地点を特定する情報、地域を特定する情報、最寄駅を特定する情報、最寄駅と最寄駅からの距離に関する情報等である。なお、最寄駅からの距離に関する情報は、距離でも良いし、徒歩による時間等でも良い。また、位置情報のデータ形式は問わない。
【００３９】
求人情報送信部１１２は、求人情報格納部１１１の求人情報を送信する。求人情報送信部１１２は、求人情報格納部１１１の求人情報と位置情報とを送信しても良い。求人情報送信部１１２は、近距離無線通信により、求人情報等を送信することは好適である。求人情報送信部１１２は、例えば、ビーコンにより求人情報等を送信する。なお、求人情報送信部１１２は、上記の特許文献１の技術が利用可能である。
【００４０】
また、求人情報送信部１１２は、ブロードキャストにより、求人情報等を送信することは好適である。求人情報送信部１１２が求人情報等を送信するタイミングは問わない。例えば、求人情報送信部１１２は、定期的に求人情報等を送信する。例えば、求人情報送信部１１２は、予め設定されている時間帯（例えば、店舗の営業時間）のみ、求人情報等を送信することは好適である。例えば、求人情報送信部１１２は、店舗の営業時間に関する営業時間情報を保持しており、図示しない時計から得た現在時刻と営業時間情報とを用いて、現在時刻が営業時間である場合に、求人情報等を送信することは好適である。
【００４１】
求人情報出力装置１２を構成する受付部１２０は、情報や指示等を受け付ける。情報や指示等とは、例えば、仕事条件である。情報や指示等とは、例えば、場所的条件である。情報や指示等とは、例えば、仕事関連条件である。
【００４２】
仕事条件は、仕事に関して求職者が希望する条件である。仕事条件は、仕事をする場所に関する条件である場所的条件を有する。
【００４３】
場所的条件は、地点に関する条件でも良いし、地域に関する条件でも良いし、経路に関する条件でも良いし、最寄駅に関する条件等でも良い。場所的条件は、場所を特定する場所特定情報でも良い。場所とは、地点でも良いし、地域でも良いし、経路でも良いし、最寄駅等でも良い。場所的条件は、場所的条件取得部１２５が自動的に取得しても良い。また、場所的条件は、ユーザにより入力された条件でも良い。なお、ユーザが入力する場所的条件は、ユーザが働きたい場所に関する情報を含む。
【００４４】
また、仕事条件は、求職者に関する条件である求職者関連条件と場所的条件とを有しても良い。求職者関連条件とは、仕事に関する求職者の希望条件である仕事関連条件を含む。また、仕事関連条件は、仕事に関する条件である。仕事関連条件は、例えば、勤務時間に関する条件である勤務時間的条件、時給や月給等の報酬に関する条件である報酬的条件、職種や担当等の仕事の内容に関する条件である仕事内容条件などである。なお、求職者関連条件は、求職者の属性（年齢、性別、学歴等）を含んでも良い。
【００４５】
場所的条件は、位置取得部１２３が取得した２以上の位置情報を用いて取得された情報であり、過去に通過した経路を示す経路情報を含む条件であっても良い。なお、場所的条件の取得方法の詳細については後述する。
【００４６】
仕事条件格納部１２１は、仕事条件を格納し得る。仕事条件格納部１２１の仕事条件は、通常、受付部１２０が受け付けた仕事条件である。
【００４７】
位置情報格納部１２２は、求職者が存在した２以上の位置情報を格納し得る。位置情報格納部１２２の位置情報は、通常、位置取得部１２３が取得した位置情報である。
【００４８】
位置取得部１２３は、２以上の位置情報を取得する。位置情報を取得する技術は公知技術であるので、詳細な説明を省略する。
【００４９】
蓄積部１２４は、位置取得部１２３が取得した２以上の位置情報を位置情報格納部１２２に蓄積する。蓄積部１２４は、一時的に位置情報を蓄積しても良い。蓄積部１２４は、受付部１２０が受け付けた仕事条件、場所的条件、求職者関連条件等を仕事条件格納部１２１に蓄積する。
【００５０】
場所的条件取得部１２５は、位置情報格納部１２２に格納されている２以上の位置情報を用いて場所的条件を取得する。場所的条件取得部１２５が、場所的条件を取得するタイミングは問わない。場所的条件取得部１２５は、
【００５１】
場所的条件取得部１２５は、位置情報格納部１２２に格納されている２以上の位置情報を用いて、予め決められた条件を満たすほど、良く通過している場所についての条件である場所的条件を取得する。
【００５２】
求人情報受信部１２６は、求人情報を受信する。求人情報受信部１２６は、通常、求人情報送信装置１１から求人情報を受信する。求人情報受信部１２６は、近距離無線通信により、求人情報を受信することは好適である。求人情報受信部１２６は、求人情報と位置情報とを受信しても良い。位置情報は、職場の位置を示す情報である。また、求人情報の中に、職場の位置を示す情報を含んでいても良い。
【００５３】
判断部１２７は、求人情報受信部１２６が受信した求人情報が仕事条件格納部１２１の仕事条件を満たすか否かの判断を行う。判断部１２７が行う判断は、通常、職場場所判断を含む。職場場所判断とは、求人情報に対応する職場の場所が、場所的条件を満たすか否かの判断である。なお、求人情報に対応付けて職場の位置情報（職場の場所）が受信されても良い、また、求人情報が受信されることは、職場が現在位置に対して、予め決められた条件を満たすほど近いということでも良い。また、職場の場所は、現在位置でも良い。
【００５４】
判断部１２７は、例えば、求人情報に対応する職場の場所が、場所的条件取得部１２５が取得した場所的条件を満たすか否かの判断である職場場所判断を含む判断を行う。なお、判断部１２７は、職場場所判断のみを行っても良い。
【００５５】
求人情報出力部１２８は、判断部１２７が仕事条件を満たすと判断した求人情報を出力する。また、求人情報出力部１２８は、判断部１２７が仕事条件を満たすと判断した求人情報に対応する求人関連情報を出力しても良い。求人関連情報とは、例えば、求人情報を受信した旨の情報、求人情報を加工した情報、求人情報を用いて取得され得る情報等である。
【００５６】
ここで、求人情報受信部１２６が求人情報を受信した後、直ちに判断部１２７が判断し、判断部１２７の判断後、求人情報出力部１２８が仕事条件に合致する求人情報を直ちに出力することは好適である。また、ユーザ指示により、位置取得部１２３が現在の位置情報を取得し、求人情報受信部１２６が求人情報を受信し、当該受信の後、直ちに判断部１２７が判断し、当該判断後、求人情報出力部１２８が仕事条件に合致する求人情報を直ちに出力することは好適である。
【００５７】
ここで、出力とは、ディスプレイへの表示、プロジェクターを用いた投影、プリンタでの印字、音出力、外部の装置への送信、記録媒体への蓄積、求人情報出力装置１２のバイブレーション、他の処理装置や他のプログラムなどへの処理結果の引渡しなどを含む概念である。
【００５８】
求人情報格納部１１１、仕事条件格納部１２１、位置情報格納部１２２は、不揮発性の記録媒体が好適であるが、揮発性の記録媒体でも実現可能である。求人情報格納部１１１と仕事条件格納部１２１に求人情報等が記憶される過程は問わない。例えば、記録媒体を介して求人情報等が求人情報格納部１１１等で記憶されるようになってもよく、通信回線等を介して送信された求人情報等が求人情報格納部１１１等で記憶されるようになってもよく、あるいは、入力デバイスを介して入力された求人情報等が求人情報格納部１１１等で記憶されるようになってもよい。
【００５９】
求人情報送信部１１２は、通常、放送手段で実現される。また、求人情報送信部１１２は、近距離無線通信手段で実現されても良い。近距離無線通信手段は、例えば、ビーコン（登録商標）、Ｂｌｕｅｔｏｏｔｈ（登録商標）等である。
【００６０】
位置取得部１２３は、ＧＰＳ受信機等により実現され得る。位置取得部１２３は、例えば、３つの携帯基地局からの電波を使用して位置を算出する手段により実現されても良い。
【００６１】
蓄積部１２４、場所的条件取得部１２５、判断部１２７は、通常、ＭＰＵやメモリ等から実現され得る。蓄積部１２４の処理手順は、通常、ソフトウェアで実現され、当該ソフトウェアはＲＯＭ等の記録媒体に記録されている。但し、ハードウェア（専用回路）で実現しても良い。
【００６２】
求人情報受信部１２６は、無線の通信手段、放送を受信する手段等で実現され得る。求人情報受信部１２６は、近距離無線通信手段で実現されても良い。
【００６３】
求人情報出力部１２８は、ディスプレイやスピーカー等の出力デバイスを含むと考えても含まないと考えても良い。求人情報出力部１２８は、出力デバイスのドライバーソフトまたは、出力デバイスのドライバーソフトと出力デバイス等で実現され得る。
【００６４】
次に、求人情報処理システム１の動作について説明する。まず、求人情報送信装置１１の動作について説明する。
【００６５】
求人情報送信装置１１の求人情報送信部１１２は、例えば、求人情報格納部１１１に格納されている求人情報と位置情報とを読み出し、当該求人情報と位置情報とを、定期的に送信する。
【００６６】
次に、求人情報出力装置１２の動作について、図３のフローチャートを用いて説明する。
【００６７】
（ステップＳ３０１）位置取得部１２３は、現在、求人情報出力装置１２が存在する位置を示す位置情報を取得したか否かを判断する。位置情報を取得すればステップＳ３０２に行き、位置情報を取得しなければステップＳ３０４に行く。
【００６８】
（ステップＳ３０２）図示しない時刻取得手段（例えば、時計）は、現在の時刻を取得する。
【００６９】
（ステップＳ３０３）蓄積部１２４は、ステップＳ３０１で取得された位置情報とステップＳ３０２で取得された時刻とを対応付けて、位置情報格納部１２２に蓄積する。ステップＳ３０１に戻る。
【００７０】
（ステップＳ３０４）受付部１２０は、仕事条件等を受け付けたか否かを判断する。仕事条件等を受け付ければステップＳ３０５に行き、仕事条件等を受け付けなければステップＳ３０６に行く。なお、ここでの仕事条件等とは、仕事条件を構成する一部の条件でも良い。
【００７１】
（ステップＳ３０５）蓄積部１２４は、ステップＳ３０４で受け付けられた仕事条件等を仕事条件格納部１２１に蓄積する。ステップＳ３０１に戻る。
【００７２】
（ステップＳ３０６）場所的条件取得部１２５は、場所的条件を自動的に取得するタイミングであるか否かを判断する。場所的条件を自動的に取得するタイミングであればステップＳ３０７に行き、当該タイミングでなければステップＳ３０８に行く。
【００７３】
（ステップＳ３０７）場所的条件取得部１２５は、場所的条件を取得する処理を行う。かかる場所的条件取得処理について、図４のフローチャートを用いて説明する。ステップＳ３０１に戻る。
【００７４】
（ステップＳ３０８）求人情報受信部１２６は、求人情報を受信したか否かを判断する。求人情報を受信すればステップＳ３０９に行き、求人情報を受信しなければステップＳ３０１に戻る。
【００７５】
（ステップＳ３０９）判断部１２７は、例えば、ステップＳ３０８で受信された求人情報が、仕事条件格納部１２１の仕事条件を満たすか否かの判断を行う。かかる判断処理にについて、図５のフローチャートを用いて説明する。
【００７６】
（ステップＳ３１０）ステップＳ３０９における判断結果が「仕事条件を満たす」との結果である場合はステップＳ３１１に行き、「仕事条件を満たさない」との結果である場合はステップＳ３０１に戻る。
【００７７】
（ステップＳ３１１）求人情報出力部１２８は、ステップＳ３０８で受信された求人情報、またはステップＳ３０８で受信された求人情報に対応する求人関連情報を出力する。ステップＳ３０１に戻る。
【００７８】
なお、図３のフローチャートにおいて、位置情報の取得処理（Ｓ３０１等）、場所的条件の自動取得処理（Ｓ３０７等）は無くても良い。また、図３のフローチャートにおいて、場所的条件は、受け付けなくても良い（Ｓ３０４での処理）。
【００７９】
また、図３のフローチャートにおいて、電源オフや処理終了の割り込みにより処理は終了する。
【００８０】
次に、ステップＳ３０７の場所的条件取得処理の例について、図４のフローチャートを用いて説明する。
【００８１】
（ステップＳ４０１）場所的条件取得部１２５は、カウンタｉに１を代入する。
【００８２】
（ステップＳ４０２）場所的条件取得部１２５は、位置情報格納部１２２に、ｉ番目の位置情報が存在するか否かを判断する。ｉ番目の位置情報が存在すればステップＳ４０３に行き、ｉ番目の位置情報が存在しなければ上位処理にリターンする。
【００８３】
（ステップＳ４０３）場所的条件取得部１２５は、ｉ番目の位置情報またはｉ番目の位置情報が示す位置から閾値より近い位置の位置情報で、異なる時間帯の位置情報を時間帯ごとに取得する。
【００８４】
（ステップＳ４０４）場所的条件取得部１２５は、ステップＳ４０３で取得した１以上の位置情報を用いて、ｉ番目の位置情報が示す位置に、ユーザが訪れる頻度を取得する。
【００８５】
（ステップＳ４０５）場所的条件取得部１２５は、ステップＳ４０４で取得した頻度が予め決められた以上の高い頻度である場合はステップＳ４０６に行き、予め決められたより低い頻度である場合はステップＳ４０７に行く。
【００８６】
（ステップＳ４０６）場所的条件取得部１２５は、ステップＳ４０３で取得した位置情報の集合である位置情報群を仕事条件格納部１２１に蓄積する。なお、この位置情報群は、場所的条件を構成する。なお、位置情報群は、通常、ｉ番目の位置情報を含む。
【００８７】
（ステップＳ４０７）場所的条件取得部１２５は、すべての時間帯において、ｉ番目の位置情報、およびｉ番目の位置情報が示す位置から閾値より近い位置の位置情報を、位置情報格納部１２２から削除する。なお、削除する位置情報は、ステップＳ４０３で取得された位置情報とｉ番目の位置情報である。
【００８８】
（ステップＳ４０８）場所的条件取得部１２５は、カウンタｉを１、インクリメントする。ステップＳ４０２に戻る。
【００８９】
なお、図４のフローチャートは、場所的条件取得処理の一例であり、場所的条件取得部１２５は、他のアルゴリズムにより、場所的条件を取得しても良い。場所的条件取得部１２５は、例えば、位置情報格納部１２２に格納されている２以上の位置情報を用いて、Ｎ（Ｎは１または２以上の自然数）回以上利用した駅の駅名を取得しても良い。場所的条件取得部１２５は、例えば、図示しない地図情報格納部の地図情報を用いて、位置情報が駅の位置と比較して閾値以内であれば、駅を利用したと判断する。
【００９０】
また、図４のフローチャートのステップＳ４０６において、場所的条件取得部１２５は、位置情報群を蓄積した。しかし、場所的条件取得部１２５は、位置情報群を代表する一の位置情報を蓄積しても良い。
【００９１】
次に、ステップＳ３０９の判断処理について、図５のフローチャートを用いて説明する。
【００９２】
（ステップＳ５０１）判断部１２７は、ステップＳ３０８で受信された求人情報に対応する職場の位置情報を取得する。
【００９３】
（ステップＳ５０２）判断部１２７は、仕事条件格納部１２１の場所的条件を取得する。
【００９４】
（ステップＳ５０３）判断部１２７は、ステップＳ５０１で取得した職場の位置情報が、ステップＳ５０２で取得した場所的条件を満たすか否かを判断する。場所的条件を満たす場合はステップＳ５０４に行き、満たさない場合はステップＳ５０８に行く。
【００９５】
（ステップＳ５０４）判断部１２７は、仕事条件格納部１２１に求職者関連条件が格納されているか否かを判断する。求職者関連条件が存在すればステップＳ５０５に行き、求職者関連条件が存在しなければステップＳ５０９に行く。
【００９６】
（ステップＳ５０５）判断部１２７は、仕事条件格納部１２１の求職者関連条件を取得する。
【００９７】
（ステップＳ５０６）判断部１２７は、ステップＳ５０５で取得した求職者関連条件に対応する情報を、ステップＳ３０８で受信された求人情報から取得する。
【００９８】
（ステップＳ５０７）判断部１２７は、ステップＳ５０６で取得した情報が、求職者関連条件を満たすか否かを判断する。求職者関連条件を満たす場合はステップＳ５０９に行き、求職者関連条件を満たさない場合はステップＳ５０８に行く。
【００９９】
（ステップＳ５０８）判断部１２７は、変数「判断結果」に「仕事条件を満たさない」旨の情報を代入する。上位処理にリターンする。
【０１００】
（ステップＳ５０９）判断部１２７は、変数「判断結果」に「仕事条件を満たす」旨の情報を代入する。上位処理にリターンする。
【０１０１】
以下、本実施の形態における求人情報処理システム１の具体的な動作について説明する。求人情報処理システム１の概念図は図１である。
【０１０２】
求職者Ａは、普段、求人情報出力装置１２を携帯し、歩いている、とする。そして、求人情報出力装置１２の位置取得部１２３は、現在の位置を示す位置情報を取得する。また、図示しない時刻取得手段は、現在の時刻を取得する。そして、蓄積部１２４は、取得された位置情報と時刻とを対応付けて、位置情報格納部１２２に蓄積していく。
【０１０３】
そして、例えば、１週間に一度、予め決められた時刻になった際に、場所的条件取得部１２５は、場所的条件を自動的に取得するタイミングである、と判断するとする。
【０１０４】
次に、場所的条件取得部１２５は、最近１か月の間に、３回以上、訪れている場所の１以上の位置情報を取得し、仕事条件格納部１２１に蓄積した、とする。なお、ここで蓄積する位置情報は、訪れている領域を代表する位置情報である、とする。また、仕事条件格納部１２１に蓄積された１以上の位置情報は、場所的条件であり、（ｘ１，ｙ１）（ｘ２，ｙ２）・・・（ｘｎ，ｙｎ）である。
【０１０５】
また、求職者Ａは、求人情報出力装置１２に表示されている図６の画面に対して、仕事関連条件を入力し、「登録」ボタンを押下した、とする。ここで、求職者Ａが入力した仕事関連条件は報酬的条件「９００円以上／時間」と仕事内容条件「ウエィトレス，販売員」であった、とする。そして、受付部１２０は、報酬的条件「９００円以上／時間」と仕事内容条件「ウエィトレス，販売員」とを受け付ける。次に、蓄積部１２４は、受け付けられた仕事条件を仕事条件格納部１２１に蓄積する。
【０１０６】
以上の処理により、求職者Ａの求人情報出力装置１２の仕事条件格納部１２１には、図７に示す仕事条件管理表が格納された、とする。仕事条件管理表は、ここでは、自動的に取得された場所的条件、求職者Ａが入力した仕事関連条件を有する。
【０１０７】
かかる状況において、求職者Ａは、アルバイト先を求めて、求人情報出力装置１２を携帯し、生活圏の地域を歩いている、とする。
【０１０８】
そして、店舗Ｘに設置されている求人情報送信装置１１から、図８に示す求人情報と位置情報とが、店舗Ｘの営業時間において、常時、定期的にビーコンにより送信されている、とする。また、店舗Ｘと同じ通りにある店舗Ｙに設置されている求人情報送信装置１１から、図９に示す求人情報と位置情報とが、店舗Ｙの営業時間において、常時、定期的にビーコンにより送信されている、とする。
【０１０９】
そして、求人情報出力装置１２は、店舗Ｘの前を通りかかった時、店舗Ｘの求人情報送信装置１１から、図８に示す求人情報と位置情報とを受信する。
【０１１０】
次に、判断部１２７は、受信された店舗Ｘの求人情報に対応する職場の位置情報（ｘα，ｙα）を取得する。
【０１１１】
次に、判断部１２７は、仕事条件管理表（図７）の場所的条件を取得する。そして、取得した職場の位置情報（ｘα，ｙα）と、予め決められた条件を満たすほど近い位置情報が図７の場所的条件として管理されており、判断部１２７は、職場の位置情報（ｘα，ｙα）は場所的条件を満たす、と判断する。
【０１１２】
次に、判断部１２７は、仕事条件管理表（図７）の求職者関連条件「報酬的条件：９００円以上／時間」「仕事内容条件：ウェイトレス，販売員」を取得する。
【０１１３】
次に、判断部１２７は、求職者関連条件に対応する情報「報酬：８５０円／時間」「職種：販売員」を、受信された求人情報から取得する。
【０１１４】
次に、判断部１２７は、取得した情報「報酬：８５０円／時間」が、求職者関連条件「報酬的条件：９００円以上／時間」を満たさない、と判断する。そして、求人情報出力装置１２には、店舗Ｘの求人情報は出力されない。
【０１１５】
さらに、求職者Ａが歩いていると、求人情報出力装置１２は、店舗Ｙの前を通りかかった時、店舗Ｙの求人情報送信装置１１から、図９に示す求人情報と位置情報とを受信する。
【０１１６】
次に、判断部１２７は、受信された店舗Ｘの求人情報に対応する職場の位置情報（ｘβ，ｙβ）を取得する。
【０１１７】
次に、判断部１２７は、仕事条件管理表（図７）の場所的条件を取得する。そして、取得した職場の位置情報（ｘβ，ｙβ）と、予め決められた条件を満たすほど近い位置情報が図７の場所的条件として管理されており、判断部１２７は、職場の位置情報（ｘβ，ｙβ）は場所的条件を満たす、と判断する。
【０１１８】
次に、判断部１２７は、仕事条件管理表（図７）の求職者関連条件「報酬的条件：９００円以上／時間」「仕事内容条件：ウェイトレス，販売員」を取得する。
【０１１９】
次に、判断部１２７は、求職者関連条件に対応する情報「報酬：９２０円／時間」「職種：ウェイトレス」を、受信された求人情報から取得する。
【０１２０】
次に、判断部１２７は、取得した情報「報酬：９２０円／時間」「職種：ウェイトレス」が、求職者関連条件「報酬的条件：９００円以上／時間」「仕事内容条件：ウェイトレス，販売員」を満たす、と判断する。
【０１２１】
次に、判判断部１２７は、変数「判断結果」に「仕事条件を満たす」旨の情報を代入する。
【０１２２】
次に、求人情報出力部１２８は、受信された求人情報を出力する。かかる出力例は、図１０である。
【０１２３】
そして、求職者Ａは、すぐに店舗Ｙの店内に入り、面接を申し込むことができた。また、求職者Ａは、図１０の「電話する」ボタン１００１を押下することにより、店舗Ｙの店主に面接の申し込みを行うこともできる。なお、図１０の「電話する」ボタン１００１に対して、店舗Ｙの電話番号（求人情報に含まれる電話番号）がリンク付いており、「電話する」ボタン１００１の押下により、店舗Ｙに電話がかかる、とする。
【０１２４】
以上、本実施の形態によれば、求職者の生活圏等の、求職者に関連のある場所に存在する職場の求人情報を、求職者は容易に得ることができる。
【０１２５】
また、本実施の形態によれば、現在居る場所の近隣の店舗の求人情報であり、希望条件に合う求人情報を出力できるので、求職者は、求人している店舗に行く等の、次の行動をすばやく採ることができる。
【０１２６】
また、本実施の形態によれば、求人する側にとって、職場の近隣が生活圏内や行動範囲内である求職者に容易にアプローチできる。
【０１２７】
なお、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態における情報処理装置を実現するソフトウェアは、以下のようなプログラムである。つまり、このプログラムにおいて、コンピュータがアクセス可能な記録媒体は、仕事に関して求職者が希望する条件であり、仕事をする場所に関する条件である場所的条件を有する仕事条件を格納し得る仕事条件格納部を含み、コンピュータを、仕事の求人に関する情報である求人情報を受信する求人情報受信部と、前記求人情報に対応する職場の場所が、前記場所的条件を満たすか否かの判断である職場場所判断を含む判断であり、前記求人情報が前記仕事条件を満たすか否かの判断を行う判断部と、前記判断部が前記仕事条件を満たすと判断した求人情報、または当該求人情報に対応する求人関連情報を出力する求人情報出力部として機能させるためのプログラムである。
【０１２８】
上記プログラムにおいて、前記記録媒体は、求職者が存在した２以上の位置情報を格納し得る位置情報格納部をさらに具備し、コンピュータを、２以上の位置情報を取得する位置取得部と、前記位置取得部が取得した２以上の位置情報を前記位置情報格納部に蓄積する蓄積部と、前記位置情報格納部に格納されている２以上の位置情報を用いて場所的条件を取得する場所的条件取得部としてさらに機能させ、前記仕事条件格納部に格納されている仕事条件が有する場所的条件は、前記場所的条件取得部が取得した場所的条件であり、前記判断部は、前記求人情報に対応する職場の場所が、前記場所的条件取得部が取得した場所的条件を満たすか否かの判断である職場場所判断を含む判断を行うものとして、コンピュータを機能させるプログラムであることは好適である。
【０１２９】
上記プログラムにおいて、前記場所的条件は、前記位置取得部が取得した２以上の位置情報を用いて取得された情報であり、過去に通過した経路を示す経路情報を含む条件であるものとして、コンピュータを機能させるプログラムであることは好適である。
【０１３０】
上記プログラムにおいて、前記場所的条件取得部は、前記位置情報格納部に格納されている２以上の位置情報を用いて、予め決められた条件を満たすほど、良く通過している場所についての条件である場所的条件を取得するものとして、コンピュータを機能させるプログラムであることは好適である。
【０１３１】
上記プログラムにおいて、位置情報を取得する位置取得部をさらに具備し、前記仕事条件格納部に格納されている場所的条件は、前記位置取得部が取得した位置情報に関する条件であり、現在、求職者が居る位置に関する条件であるものとして、コンピュータを機能させるプログラムであることは好適である。
【０１３２】
上記プログラムにおいて、前記求人情報受信部は、近距離無線通信により、求人情報を受信するものとして、コンピュータを機能させるプログラムであることは好適である。
【０１３３】
上記プログラムにおいて、前記仕事条件は、求職者に関する条件である求職者関連条件と場所的条件とを有するものとして、コンピュータを機能させるプログラムであることは好適である。
【０１３４】
上記プログラムにおいて、前記求職者関連条件は、仕事に関する求職者の希望条件である仕事関連条件を含むものとして、コンピュータを機能させるプログラムであることは好適である。
【０１３５】
上記プログラムにおいて、前記仕事関連条件は、求職者が希望する勤務の時間帯に関する勤務時間的条件、または求職者が希望する職種または仕事内容に関する仕事内容条件、または仕事に対する報酬に関する報酬的条件のうちの１以上の条件を含むものとして、コンピュータを機能させるプログラムであることは好適である。
【０１３６】
（実施の形態２）
本実施の形態において、近距離無線通信手段を用いて、求職者が現在居る場所の近隣に存在する職場の求人情報を得ることができる求人情報処理システム２について説明する。
【０１３７】
本実施の形態における求人情報処理システム２の概念図は、図１と同様である。図１１は、本実施の形態における求人情報処理システム２のブロック図である。
【０１３８】
求人情報処理システム２は、１または２以上の求人情報送信装置１１、１または２以上の求人情報出力装置２２を備える。
【０１３９】
求人情報処理システム２を構成する求人情報出力装置２２は、受付部１２０、仕事条件格納部２２１、蓄積部２２４、求人情報受信部２２６、判断部２２７、求人情報出力部２２８を備える。
【０１４０】
求人情報出力装置２２を構成する仕事条件格納部２２１は、仕事に関して求職者が希望する条件である仕事条件を格納し得る。ここでの仕事条件は、勤務時間的条件、報酬的条件などであり、通常、場所的条件は含まない。
【０１４１】
蓄積部２２４は、受付部１２０が受け付けた仕事条件を仕事条件格納部２２１に蓄積する。
【０１４２】
求人情報受信部２２６は、仕事の求人に関する情報である求人情報を近距離無線通信により受信する。
【０１４３】
求人情報受信部２２６は、求人情報と位置情報とを受信しても良い。位置情報は、職場の位置を示す情報である。位置情報は、例えば、（緯度，経度）である。位置情報は、例えば、地域を特定する情報、最寄駅を特定する情報、最寄駅と最寄駅からの距離に関する情報等でも良い。最寄駅からの距離に関する情報は、距離でも良いし、徒歩による時間等でも良い。
【０１４４】
判断部２２７は、求人情報受信部２２６が受信した求人情報が仕事条件を満たすか否かの判断を行う。
【０１４５】
求人情報出力部２２８は、判断部２２７が仕事条件を満たすと判断した求人情報を出力する。また、求人情報出力部２２８は、判断部２２７が仕事条件を満たすと判断した求人情報に対応する求人関連情報を出力しても良い。求人関連情報とは、例えば、求人情報を受信した旨の情報、求人情報を加工した情報、求人情報を用いて取得され得る情報等である。
【０１４６】
求人情報受信部２２６による求人情報の受信後、判断部２２７は、直ちに判断し、判断後、求人情報出力部２２８は、仕事条件に合致する求人情報を直ちに出力することは好適である。ただし、ユーザ指示により、求人情報受信部２２６は求人情報を受信し、受信後、判断部２２７は直ちに判断し、判断後、求人情報出力部２２８は仕事条件に合致する求人情報を直ちに出力することは好適である。
【０１４７】
仕事条件格納部２２１は、不揮発性の記録媒体が好適であるが、揮発性の記録媒体でも実現可能である。仕事条件格納部２２１に仕事条件が記憶される過程は問わない。例えば、記録媒体を介して仕事条件が仕事条件格納部２２１で記憶されるようになってもよく、通信回線等を介して送信された仕事条件が仕事条件格納部２２１で記憶されるようになってもよく、あるいは、入力デバイスを介して入力された仕事条件が仕事条件格納部２２１で記憶されるようになってもよい。ただし、仕事条件格納部２２１の仕事条件は、通常、受付部１２０が受け付けた情報である。
【０１４８】
求人情報受信部２２６は、通常、近距離無線通信手段で実現される。
【０１４９】
蓄積部２２４、判断部２２７は、通常、ＭＰＵやメモリ等から実現され得る。判断部２２７の処理手順は、通常、ソフトウェアで実現され、当該ソフトウェアはＲＯＭ等の記録媒体に記録されている。但し、ハードウェア（専用回路）で実現しても良い。
【０１５０】
求人情報出力部２２８は、ディスプレイやスピーカー等の出力デバイスを含むと考えても含まないと考えても良い。求人情報出力部２２８は、出力デバイスのドライバーソフトまたは、出力デバイスのドライバーソフトと出力デバイス等で実現され得る。
【０１５１】
次に、求人情報出力装置２２の動作について、図１２のフローチャートを用いて説明する。図１２のフローチャートにおいて、図３のフローチャートと同一のステップについて、その説明を省略する。
【０１５２】
（ステップＳ１２０１）判断部２２７は、判断処理を行う。判断処理について、図１３のフローチャートを用いて説明する。
【０１５３】
なお、図１２のフローチャートにおいて、電源オフや処理終了の割り込みにより処理は終了する。
【０１５４】
次に、ステップＳ１２０１の判断処理について、図１３のフローチャートを用いて説明する。図１３のフローチャートにおいて、図５のフローチャートと同一のステップについて、その説明を省略する。
【０１５５】
（ステップＳ１３０１）判断部１２７は、仕事条件格納部１２１に仕事条件が存在するか否かを判断する。仕事条件が存在すればステップＳ１３０２に行き、仕事条件が存在しなければステップＳ５０９に行く。
【０１５６】
（ステップＳ１３０２）判断部１２７は、仕事条件格納部１２１の仕事条件を取得する。
【０１５７】
（ステップＳ１３０３）判断部１２７は、仕事条件に対応する情報を、ステップＳ３０８で受信された求人情報から取得する。
【０１５８】
（ステップＳ１３０４）判断部１２７は、ステップＳ５０６で取得した情報が、仕事条件を満たすか否かを判断する。仕事条件を満たす場合はステップＳ５０９に行き、仕事条件を満たさない場合はステップＳ５０８に行く。
【０１５９】
以下、本実施の形態における求人情報処理システム２の具体的な動作について説明する。求人情報処理システム２の概念図は図１である。
【０１６０】
今、求職者Ｂは、求人情報出力装置２２に表示されている図６の画面に対して、仕事条件を入力し、「登録」ボタンを押下した、とする。ここで、求職者Ｂが入力した仕事条件は報酬的条件「９００円以上／時間」と仕事内容条件「ウエィトレス，販売員」であった、とする。そして、受付部１２０は、報酬的条件「９００円以上／時間」と仕事内容条件「ウエィトレス，販売員」とを受け付ける。次に、蓄積部１２４は、受け付けられた仕事条件を仕事条件格納部２２１に蓄積する。なお、ここで蓄積された仕事条件は、図６における報酬的条件と仕事内容条件である。
【０１６１】
かかる状況において、求職者Ｂは、アルバイト先を求めて、求人情報出力装置２２を携帯し、生活圏の地域を歩いている、とする。
【０１６２】
そして、店舗Ｘに設置されている求人情報送信装置１１から、図８に示す求人情報（位置情報は送信されない）が、店舗Ｘの営業時間において、常時、定期的に、ビーコンにより送信されている、とする。また、店舗Ｘと同じ通りにある店舗Ｙに設置されている求人情報送信装置１１から、図９に示す求人情報（位置情報は送信されない）が、店舗Ｙの営業時間において、常時、定期的にビーコンにより送信されている、とする。
【０１６３】
そして、求人情報出力装置２２は、店舗Ｘの前を通りかかった時、店舗Ｘの求人情報送信装置１１から、図８に示す求人情報を受信する。
【０１６４】
次に、判断部２２７は、仕事条件管理表（図７）の仕事条件「報酬的条件：９００円以上／時間」「仕事内容条件：ウェイトレス，販売員」を取得する。
【０１６５】
次に、判断部２２７は、仕事条件に対応する情報「報酬：８５０円／時間」「職種：販売員」を、受信された求人情報から取得する。
【０１６６】
次に、判断部２２７は、取得した情報「報酬：８５０円／時間」が、仕事条件「報酬的条件：９００円以上／時間」を満たさない、と判断する。つまり、求人情報出力装置２２には、店舗Ｘの求人情報は出力されない。
【０１６７】
さらに、求職者Ｂが歩いていると、求人情報出力装置２２は、店舗Ｙの前を通りかかった時、店舗Ｙの求人情報送信装置１１から、図９に示す求人情報を受信する。
【０１６８】
次に、判断部２２７は、仕事条件管理表（図７）の仕事条件「報酬的条件：９００円以上／時間」「仕事内容条件：ウェイトレス，販売員」を取得する。
【０１６９】
次に、判断部２２７は、仕事条件に対応する情報「報酬：９２０円／時間」「職種：ウェイトレス」を、受信された求人情報から取得する。
【０１７０】
次に、判断部２２７は、取得した情報「報酬：９２０円／時間」「職種：ウェイトレス」が、仕事条件「報酬的条件：９００円以上／時間」「仕事内容条件：ウェイトレス，販売員」を満たす、と判断する。
【０１７１】
次に、判判断部２２７は、変数「判断結果」に「仕事条件を満たす」旨の情報を代入する。
【０１７２】
次に、求人情報出力部２２８は、受信された求人情報を出力する。かかる出力例は、図１０である。
【０１７３】
そして、求職者Ｂは、すぐに店舗Ｙに入り、面接を申し込むことができた。また、求職者Ａは、図１０の「電話する」ボタン１００１を押下することにより、店舗Ｙの店主に面接の申し込みを行うこともできる。
【０１７４】
以上、本実施の形態によれば、求職者が歩いて就職先やアルバイト先を探している際に、自分の希望条件に合う求人情報を、容易に得ることができる。そのため、すぐに求人先に行き、面接等を受けることが可能である。
【０１７５】
また、本実施の形態によれば、求人する側にとって、職場の近隣が生活圏内や行動範囲内である求職者に容易にアプローチできる。
【０１７６】
なお、本実施の形態における情報処理装置を実現するソフトウェアは、以下のようなプログラムである。つまり、このプログラムにおいて、コンピュータがアクセス可能な記録媒体は、仕事に関して求職者が希望する条件である仕事条件を格納し得る仕事条件格納部を具備し、コンピュータを、仕事の求人に関する情報である求人情報を近距離無線通信により受信する求人情報受信部と、前記求人情報が前記仕事条件を満たすか否かの判断を行う判断部と、前記判断部が前記仕事条件を満たすと判断した求人情報を出力する求人情報出力部として機能させるためのプログラムである。
【０１７７】
上記プログラムにおいて、前記仕事条件は、求職者に関する条件である求職者関連条件と場所的条件とを有するものとして、コンピュータを機能させるプログラムであることは好適である。
【０１７８】
上記プログラムにおいて、前記求職者関連条件は、仕事に関する求職者の希望条件である仕事関連条件を含むものとして、コンピュータを機能させるプログラムであることは好適である。
【０１７９】
上記プログラムにおいて、前記仕事関連条件は、求職者が希望する勤務の時間帯に関する勤務時間的条件、または求職者が希望する職種または仕事内容に関する仕事内容条件、または仕事に対する報酬に関する報酬的条件のうちの１以上の条件を含むものとして、コンピュータを機能させるプログラムであることは好適である。
【０１８０】
また、図１４は、本明細書で述べたプログラムを実行して、上述した種々の実施の形態の求人情報出力装置等を実現するコンピュータの外観を示す。上述の実施の形態は、コンピュータハードウェア及びその上で実行されるコンピュータプログラムで実現され得る。図１４は、このコンピュータシステム３００の概観図であり、図１５は、システム３００のブロック図である。
【０１８１】
図１４において、コンピュータシステム３００は、ＣＤ−ＲＯＭドライブを含むコンピュータ３０１と、キーボード３０２と、マウス３０３と、モニタ３０４とを含む。
【０１８２】
図１５において、コンピュータ３０１は、ＣＤ−ＲＯＭドライブ３０１２に加えて、ＭＰＵ３０１３と、バス３０１４と、ＲＯＭ３０１５と、ＲＡＭ３０１６と、ハードディスク３０１７とを含む。なお、バス３０１４は、ＭＰＵ３０１３やＣＤ−ＲＯＭドライブ３０１２に接続されている。また、ＲＯＭ３０１５には、ブートアッププログラム等のプログラムが記憶されている。また、ＲＡＭ３０１６は、ＭＰＵ３０１３に接続され、アプリケーションプログラムの命令を一時的に記憶するとともに一時記憶空間を提供するためのものである。また、ハードディスク３０１７は、アプリケーションプログラム、システムプログラム、及びデータを記憶するためのものである。ここでは、図示しないが、コンピュータ３０１は、さらに、ＬＡＮへの接続を提供するネットワークカードを含んでも良い。
【０１８３】
コンピュータシステム３００に、上述した実施の形態の求人情報出力装置等の機能を実行させるプログラムは、ＣＤ−ＲＯＭ３１０１に記憶されて、ＣＤ−ＲＯＭドライブ３０１２に挿入され、さらにハードディスク３０１７に転送されても良い。これに代えて、プログラムは、図示しないネットワークを介してコンピュータ３０１に送信され、ハードディスク３０１７に記憶されても良い。プログラムは実行の際にＲＡＭ３０１６にロードされる。プログラムは、ＣＤ−ＲＯＭ３１０１またはネットワークから直接、ロードされても良い。
【０１８４】
プログラムは、コンピュータ３０１に、上述した実施の形態の求人情報出力装置等の機能を実行させるオペレーティングシステム、またはサードパーティープログラム等は、必ずしも含まなくても良い。プログラムは、制御された態様で適切な機能（モジュール）を呼び出し、所望の結果が得られるようにする命令の部分のみを含んでいれば良い。コンピュータシステム３００がどのように動作するかは周知であり、詳細な説明は省略する。
【０１８５】
なお、上記プログラムにおいて、情報を送信する送信ステップや、情報を受信するステップなどでは、ハードウェアによって行われる処理、例えば、送信するステップにおけるモデムやインターフェースカードなどで行われる処理（ハードウェアでしか行われない処理）は含まれない。
【０１８６】
また、上記プログラムを実行するコンピュータは、単数であってもよく、複数であってもよい。すなわち、集中処理を行ってもよく、あるいは分散処理を行ってもよい。
【０１８７】
また、上記各実施の形態において、一の装置に存在する２以上の通信手段は、物理的に一の媒体で実現されても良いことは言うまでもない。
【０１８８】
また、上記各実施の形態において、各処理（各機能）は、単一の装置（システム）によって集中処理されることによって実現されてもよく、あるいは、複数の装置によって分散処理されることによって実現されてもよい。
【０１８９】
本発明は、以上の実施の形態に限定されることなく、種々の変更が可能であり、それらも本発明の範囲内に包含されるものであることは言うまでもない。
【産業上の利用可能性】
【０１９０】
以上のように、本発明にかかる求人情報出力装置は、求職者に関連のある場所に存在する職場の求人情報を、容易に得ることができる、という効果を有し、求人情報を出力できるアプリケーションがインストールされた携帯端末装置等として有用である。
【符号の説明】
【０１９１】
１、２  求人情報処理システム
１１  求人情報送信装置
１２、２２  求人情報出力装置
１１１  求人情報格納部
１１２  求人情報送信部
１２０  受付部
１２１、２２１  仕事条件格納部
１２２  位置情報格納部
１２３  位置取得部
１２４、２２４  蓄積部
１２５  場所的条件取得部
１２６、２２６  求人情報受信部
１２７、２２７  判断部
１２７、２２７  判判断部
１２８、２２８  求人情報出力部
【図２】
2016091444.tif 000003
【図３】
2016091444.tif 000004
【図４】
2016091444.tif 000005
【図５】
2016091444.tif 000006
【図７】
2016091444.tif 000007
【図８】
2016091444.tif 000008
【図９】
2016091444.tif 000009
【図１１】
2016091444.tif 000010
【図１２】
2016091444.tif 000011
【図１３】
2016091444.tif 000012
【図１４】
2016091444.tif 000013
【図１５】
2016091444.tif 000014
【図１】
2016091444.tif 000015
【図６】
2016091444.tif 000016
【図１０】
2016091444.tif 000017